(57)【要約】【課題】新たに防水構造を設けることなく、簡単かつ確実に防水を図りながらフラットキーを設ける。【解決手段】防水がなされたフラットキー２１と、そのフラットキー２１から引き出した電気的接続線（ＦＰＣ）２２と他の電気的接続線とを集合させた電気的接続線（ＦＰＣ）１３と、フラットキー２１を固定するとともに、前記集合させた電気的接続線（ＦＰＣ）１３を導入する導入口１６を備えたケース７と、前記集合させた電気的接続線（ＦＰＣ）１３と導入口１６の間の防水を図る防水部材１７とを設ける。フラットキー２１は、ケース７の側面に設けられるサイドキーである。【選択図】図４
2008085140.tif 000002
【特許請求の範囲】
【請求項１】
防水がなされたフラットキーと、
前記フラットキーから引き出した電気的接続線と他の電気的接続線とを集合させた電気的接続線と、
前記フラットキーを固定するとともに、前記集合させた電気的接続線を導入する導入口を備えたケースと、
前記集合させた電気的接続線と前記導入口の間の防水を図る防水部材とを設けたことを特徴とする電子機器の防水構造。
【請求項２】
前記フラットキーは、前記ケースの側面に設けられるサイドキーであることを特徴とする請求項１に記載の電子機器の防水構造。
【請求項３】
前記ケースは内部ケースであって、前記フラットキーと対向してキー釦を配置するとともに、前記フラットキーから引き出した電気的接続線を引き回して、これらキー釦と電気的接続線とを、前記内部ケースに外部ケースを重ねて組み合わせることで固定したことを特徴とする請求項１または２に記載の電子機器の防水構造。
【請求項４】
前記導入口は、折り畳み式本体を連結するヒンジ部側に設けられることを特徴とする請求項１から３のいずれか一項に記載の電子機器の防水構造。
【請求項５】
前記他の電気的接続線は、一方の本体内部の表示装置と他方の本体内部の基板とを電気的に接続することを特徴とする請求項４に記載の電子機器の防水構造。
【請求項６】
前記ケースは外部ケースであって、前記フラットキーと対向してキー釦を配置するとともに、前記フラットキーから引き出した電気的接続線を引き回して、これらキー釦と電気的接続線とを、前記外部ケースに他の外部ケースを重ねて組み合わせることで固定したことを特徴とする請求項１または２に記載の電子機器の防水構造。
【発明の詳細な説明】
【技術分野】
【０００１】
本発明は、携帯型などの電子機器の防水構造に関する。
【背景技術】
【０００２】
腕時計において、ケースの外部に凹部を設け、この凹部にシートキーを配置して接着するものがある（特許文献１参照）。そのシートキーの電極端子は凹部に設けられた挿通孔を通して内部に導かれ回路基板と電気的に接続されている。
【０００３】
また、図９は従来の一例としてサイドキーの防水構造を示したもので、下ケース９１の側面に形成した穴部に、金属及びゴム一体のサイドキーパッキン９２を嵌め込んで、キートップ９３を押すとサイドキーパッキン９２を介して、下ケース９１内のキースイッチ９４が押される。図中、９５は上ケース、９６はケースパッキン、９７は下カバーである。
【特許文献１】実公平６−２３９９２号公報
【発明の開示】
【発明が解決しようとする課題】
【０００４】
しかし、特許文献１の構造は、ケースの外部に凹部を設け、この凹部にフラットキーの電極端子を通す挿通孔を形成しているため、防水を図るにはシートキーを凹部に確実に接着する必要がある。すなわち、凹部内に水などが入らないようにするため、シートキーを凹部の全周に亘って完全に接着しなければ防水が図れないものであり、接着が非常に面倒でありながら、接着不良により防水不良を招きかねないものであった。
【０００５】
また、図９のサイドキーの防水構造は、下ケース９１の側面に形成した穴部において、サイドキーパッキン９２の防水気密のための圧縮面が必要で、キートップ９３を押すストローク方向に厚みの必要な構造となり、筐体の幅が増加してしまう。従って、フラットキーの防水構造が望まれる。
【０００６】
本発明の課題は、新たに防水構造を設けることなく、簡単かつ確実に防水を図りながらフラットキーを設けることである。
【課題を解決するための手段】
【０００７】
以上の課題を解決するため、請求項１に記載の発明は、防水がなされたフラットキーと、前記フラットキーから引き出した電気的接続線と他の電気的接続線とを集合させた電気的接続線と、前記フラットキーを固定するとともに、前記集合させた電気的接続線を導入する導入口を備えたケースと、前記集合させた電気的接続線と前記導入口の間の防水を図る防水部材とを設けた構成の電子機器の防水構造を特徴とする。
【０００８】
請求項２に記載の発明は、請求項１に記載の電子機器の防水構造であって、前記フラットキーは、前記ケースの側面に設けられるサイドキーであることを特徴とする。
【０００９】
請求項３に記載の発明は、請求項１または２に記載の電子機器の防水構造であって、前記ケースは内部ケースであって、前記フラットキーと対向してキー釦を配置するとともに、前記フラットキーから引き出した電気的接続線を引き回して、これらキー釦と電気的接続線とを、前記内部ケースに外部ケースを重ねて組み合わせることで固定したことを特徴とする。
【００１０】
請求項４に記載の発明は、請求項１から３のいずれか一項に記載の電子機器の防水構造であって、前記導入口は、折り畳み式本体を連結するヒンジ部側に設けられることを特徴とする。
【００１１】
請求項５に記載の発明は、請求項４に記載の電子機器の防水構造であって、前記他の電気的接続線は、一方の本体内部の表示装置と他方の本体内部の基板とを電気的に接続することを特徴とする。
【００１２】
請求項６に記載の発明は、請求項１または２に記載の電子機器の防水構造であって、前記ケースは外部ケースであって、前記フラットキーと対向してキー釦を配置するとともに、前記フラットキーから引き出した電気的接続線を引き回して、これらキー釦と電気的接続線とを、前記外部ケースに他の外部ケースを重ねて組み合わせることで固定したことを特徴とする。
【発明の効果】
【００１３】
本発明によれば、フラットキーから引き出した電気的接続線を他の電気的接続線と集合させて既存の防水構造を利用することで、新たに防水構造を設けることなく、簡単かつ確実に防水を図りながらフラットキーを設けることができる。
【発明を実施するための最良の形態】
【００１４】
以下、図を参照して本発明を実施するための最良の形態を詳細に説明する。
（実施形態１）
図１は本発明を適用した電子機器の一実施形態の構成として携帯電話機を示したもので、１は操作側本体、２は表示側本体、３はヒンジ部、４はキー操作部、５はサイドキー、６は表示装置である。操作側本体１及び表示側本体２はヒンジ部３を介して折り畳み自在に連結され、操作側本体１には内表面のキー操作部４及び側面のサイドキー５等が設けられ、表示側本体２には内表面に画面が開口する表示装置６が設けられている。
【００１５】
図２及び図３は操作側本体１を示したもので、図示のように、操作側本体１は、内部ケースである下ケース７を、外部ケースである上ケース８及び下カバー９で覆って構成されている。下ケース７内には、キー操作部４のシートキー１１等が収容され、シートキー１１上に膜状のケースパッキン１２が重ねられる。ケースパッキン１２には、キー操作部４のキー釦が一体に形成されている。
【００１６】
さらに、下ケース７内には、電気的接続線が形成された帯状のＦＰＣ（フレキシブル配線基板）１３が導入されている。このＦＰＣ１３は、図４に示すように、両端部にコネクタ１４・１５を備えて、その一方のコネクタ１４が下ケース７の前記ヒンジ部３側に形成した導入口１６から内部に導入されている。そして、導入口１６には防水部材、すなわち、ＦＰＣ１３に一体化して備えられた防水パッキン１７が嵌め込まれている。なお、ＦＰＣ１３の他方のコネクタ１５側にも防水パッキン１８が一体化して備えられている。
【００１７】
そして、ＦＰＣ１３には、フラットキー２１を備えてそのフラットキー２１から引き出された電気的接続線を形成したＦＰＣ２２が一体に形成されている。このＦＰＣ２２はＦＰＣ１３より幅が細い帯状のものである。
フラットキー２１は、図５及び図６に示すように、幅の広い帯状のＦＰＣ２３の一半部に複数（図示例では三個）の電極端子２４を有して、ＦＰＣ２３の他半部には電極端子２４に対応するスイッチ部２５を有するものである。すなわち、フラットキー２１は、電極端子２４及びスイッチ部２５を内側にしてＦＰＣ２３を折り畳んで構成される防水スイッチである。
【００１８】
以上のフラットキー２１の電極端子２４につながる電気的接続線が一体のＦＰＣ２２に形成されている。このＦＰＣ２２は、前記ＦＰＣ１３の中間部で防水パッキン１７の近傍に一体に連続している。すなわち、ＦＰＣ２２・２３の電気的接続線がＦＰＣ１３で他の電気的接続線と集合している。
なお、フラットキー２１のスイッチ部２５に対応してキートップ２６が用意される。
【００１９】
図７はサイドキー５の防水構造を示したもので、下ケース７の側面に形成した凹部２７にフラットキー２１が両面テープ２８で貼り付けられている。そして、凹部２７内において、フラットキー２１のスイッチ部２５に対応する位置にキートップ２６が配置されており、キートップ２６は上カバー８により抜け止めされている。
なお、下ケース７内には、回路基板３１及びシールドケース３２等が収容されて、その反対側に電池３３等が収容されており、３４は電池蓋である。
【００２０】
以上において、ＦＰＣ１３のコネクタ１４が回路基板３１の端子部に接続されている。そして、ＦＰＣ１３は、防水パッキン１７・１８の間において前記ヒンジ部３のヒンジ軸の周囲を、図示のようにループ状に囲んで配置され、前記表示側本体２内にコネクタ１８側が導入されている。コネクタ１８は表示装置６の端子部に接続される。
【００２１】
以上のように、操作側本体１のサイドキー５において、その防水構造のフラットキー２１から引き出した帯状のＦＰＣ２２を、操作側本体１内の回路基板３１と表示側本体２内の表示装置６とを電気的に接続する帯状のＦＰＣ１３に集合（あるいは分岐）させたため、その集合させたＦＰＣ１３をケース７の導入口１６に防水パッキン１７を介して導入した既存の防水構造を利用できる。
従って、サイドキー５として、新たに防水構造を設けることなく、フラットキー２１を簡単かつ確実に防水を図りながら設けることができる。
しかも、フラットキー２１によるサイドキー５のため、操作側本体１の幅も抑えることができる。
【００２２】
（実施形態２）
図８は実施形態２のサイドキー５の防水構造を示したもので、ケース４１の側面に形成した凹部４２にフラットキー２１が両面テープ４３で貼り付けられている。そして、凹部４２内において、フラットキー２１のスイッチ部２５に対応する位置にキートップ４４が配置されており、キートップ４４は下カバー４５により抜け止めされている。
なお、３１は回路基板、３５はシールドケース、４６は上カバーである。
このようなサイドキー５の防水構造によっても、前述した実施形態１と同様の作用効果が得られる。
【００２３】
なお、以上の実施形態においては、携帯電話機としたが、本発明はこれに限定されるものではなく、クロック、ウォッチ、カメラ、ＰＤＡ、ウェアラブルパソコンなどの電子機器であっても良い。
また、実施形態では、電気的接続線を有するものとしてＦＰＣとしたが、基板や電気コードであってもよい。
さらに、フラットキーの形状や構造等も任意であり、その他、具体的な細部構造等についても適宜に変更可能であることは勿論である。
【００２４】
例えば、フラットキーとしては、必ずしもキー釦（キートップ）は必要ではなく、フラットキーだけでもよく、この場合は入力位置に釦イメージや機能名などを印刷しておいてもよい。
また、他の電気的接続線としては、表示装置との接続に限らず、例えば反対側面のサイドキーやスピーカ、マイク、カードスロット、電源端子などとの接続であってもよい。
また、フラットキーはサイドキーに限らず、装置の前面に設けられた操作キーであってもよい。
また、導入口はヒンジ部側以外にあってもよく、例えばケース側面に導入口を設けてもよい。
【図面の簡単な説明】
【００２５】
【図１】本発明を適用した電子機器の一実施形態の構成を示すもので、携帯電話機を示した斜視図である。
【図２】図１の操作側本体のみを示した斜視図である。
【図３】図２の操作側本体の分解斜視図である。
【図４】図３の下ケース及び電気的接続線の分解斜視図である。
【図５】図４の電気的接続線の拡大図である。
【図６】図５のフラットキーの展開図である。
【図７】実施形態１のサイドキーの防水構造を示した断面図である。
【図８】実施形態２のサイドキーの防水構造を示した断面図である。
【図９】従来の一例としてサイドキーの防水構造を示した断面図である。
【符号の説明】
【００２６】
１  操作側本体
２  表示側本体
３  ヒンジ部
４  キー操作部
５  サイドキー
６  表示装置
７  内部ケース
８・９  外部ケース
１１  シートキー
１２  ケースパッキン
１３  ＦＰＣ（電気的接続線）
１４・１５  コネクタ
１６  導入口
１７・１８  防水部材
２１  フラットキー
２２・２３  ＦＰＣ（電気的接続線）
２４  電極端子
２５  スイッチ部
２６  キートップ
２７  凹部
２８  両面テープ
３１  回路基板
４１・４５  外部ケース
４３  両面テープ
４４  キートップ
【図１】
2008085140.tif 000003
【図２】
2008085140.tif 000004
【図３】
2008085140.tif 000005
【図４】
2008085140.tif 000006
【図５】
2008085140.tif 000007
【図６】
2008085140.tif 000008
【図７】
2008085140.tif 000009
【図８】
2008085140.tif 000010
【図９】
2008085140.tif 000011